【事件の表示】
　平成　８年特許願第２６５４９６号「ディジタル画像信号用のメモリ装置」拒絶査定不服審判事件〔平成　９年　６月２４日出願公開、特開平　９−１６８１６５〕について、次のとおり審決する。
【結　論】
　本件審判の請求は、成り立たない。
【理　由】
【第１】経緯  
 　  
［１］手続  
　本願は、平成８年９月１３日（優先権主張平成７年１０月１３日）の出願であって、手続の概要は以下のとおりである。
　
　拒絶理由通知　　　　　　　：平成１８年　３月　９日（起案日）
　手続補正（明細書の補正）　：平成１８年　５月２６日
　拒絶査定　　　　　　　　　：平成１８年　６月２３日（起案日）
　拒絶査定不服審判請求　　　：平成１８年　７月２６日
　手続補正（明細書の補正）　：平成１８年　８月２５日
　前置審査報告　　　　　　　：平成１８年１１月　８日
　審尋　　　　　　　　　　　：平成２０年１０月１０日（起案日） 
　回答書　　　　　　　　　　：平成２０年１１月２６日
　
［２］査定  
　原審での査定の理由は、概略、以下のとおりである。  
 　  
　〈査定の理由〉
　本願の請求項１から１３までに係る各発明は、下記刊行物１に記載された発明、および下記刊行物２〜４に示されるような周知技術に基づいて当業者が容易に発明をすることができたものであるから、特許法第２９条第２項の規定により、特許を受けることができない。
　　　　　　　　記
　刊行物１：特開昭６３−２８７９９２号公報
　刊行物２：特開平　５−２３６３６４号公報
　刊行物３：特開昭６２−２００５９１号公報
　刊行物４：特開平　７−１２３４０７号公報
　
【第２】審判請求時の補正の適合性の適否　 
 　 
　《結論》
　平成１８年８月２５日付けの手続補正（以下、本件補正という。）を認める。
　
　《理由》
　本件補正は、特許請求の範囲についてする補正として、補正前請求項２の記載中の「色データであると
とにも
ともに
　この補正事項は、平成１８年改正前特許法（平成１８年法律第５５号改正附則第３条第１項によりなお従前の例によるとされる同法による改正前の特許法、以下同じ。）第１７条の２第４項第３号で規定する誤記の訂正、および同条同項第１号で規定する請求項の削除を目的とする補正に該当する。
　
　また、本件補正は、上記補正事項の外に、発明の詳細な説明の段落0013を、補正後請求項１と整合するようにする補正事項を含んでいる。
　
　特許請求の範囲についてする上記補正事項、および発明の詳細な説明についてする上記補正事項は、いずれも、願書に最初に添付した明細書に記載した事項の範囲内においてする補正である。
　したがって、本件補正は、平成１８年改正前特許法第１７条の２第３項および第４項の各規定に適合する。
　
　よって、結論のとおり本件補正を認める。
　
【第３】本願発明
 　 
　本願の請求項１から請求項５までに係る発明は、本願明細書及び図面（平成１８年５月２６日及び平成１８年８月２５日付けの手続補正書により補正された明細書）の記載からみて、それぞれ、その特許請求の範囲の請求項１から請求項５までに記載した事項により特定されるとおりのものであるところ、そのうち、請求項１に係る発明（以下、本願発明ともいう）は、
　特開昭６３−２８７９９２号公報開示の色復元装置（従来技術）は、画像メモリの容量を増大を防止してフルカラーの表示画像を得ることのできるものであるが、画像データが格納されるメモリと、変換テーブルとが別々にＩＣ化されていて、ＩＣ回路を実装する時に必要な空間スペースが大きくなる問題があったので、圧縮によるメモリ容量を削減できるのに加えて、より一層のハードウエアの規模の削減を図ることができ、また、スペース上、小型化することができるようにすること（課題・目的１）、
　さらに、一般の計算機などに使用されるメモリ装置はではランダムアクセスを行うためのアドレス信号を生成するアドレス発生器が複雑になるが、画像用メモリへの画像データのアクセス（データの書込みもしくは読出し）がテレビジョンの水平走査および垂直走査に対応していることに鑑み、リセット信号とクロックパルスを使用するカウンタなどの簡単な構成でアドレス発生器を構成すること（課題・目的２）
　を目的（解決しようとする課題）とするものであって、下記のとおりの構成とするものである。  
 　 
　　　　　　記（本願発明）  
　色圧縮された画像データを格納するディジタル画像信号用のメモリ装置において、
　上記色圧縮された画像データは、三原色の成分を表現する圧縮画像データであり、
　上記色圧縮された画像データを格納するメモリ部と、
　クロックパルスをカウントすると共に、リセット信号によってリセットされ、上記メモリ部にアクセスするためのアドレス信号を生成するアドレス生成部と、
　上記クロックパルスが供給され、上記クロックパルスに同期して動作することによって、上記色圧縮された画像データを元の画像データに復元する色復元部とを有し、
　上記メモリ部、上記アドレス生成部および上記色復元部は、共通の半導体基板上に構成されていることを特徴とするディジタル画像信号用のメモリ装置。
　
【第４】当審の判断  
 　 
［１］引用刊行物の記載  
　原査定の拒絶の理由に引用された刊行物１（特開昭６３−２８７９９２号公報）には、図面と共に次に掲げる事項が記載されている。
　
　　〈特許請求の範囲〉
　(K1)「【特許請求の範囲】
表示用メモリから画素ごとに表示データを取り出し、
　この取り出した表示データに基づいたデータをＤ／Ａ変換してカラー画像の３原色信号を得るようにした表示回路において、
　上記表示データは、隣接する画素との濃度変化が最大である色についてのデータとされるとともに、
　その色を示す識別コードを有するデータとされ、上記表示用メモリから取り出された上記表示データは、上記識別コードにしたがって次に同じ色の表示データが上記表示用メモリから取り出されるまで保持されるとともに、
　マッピングにより原データよりもビット数の多いデータに変換されるようにした表示回路。」（１頁左下欄３行〜同欄１８行）
　
　〈従来の技術〉
　(K2)「〔従来の技術〕
　コンピュータ・グラフィックスにおいては、色表示能力は、一般に１画素につき２５６色（＝２８）あれば充分とされている。つまり、１画素に８ビットを割り当てればよいわけである。
　しかし、最近では、自然画、例えばビデオカメラで取り込んだ画像を加工したり表示したいという要求があり、この場合には、１画素につき２５６色の色表示能力では不充分である。
　ところが、コンピュータ・グラフィックスにおいては、２０００画素×２０００画素程度の表示能力を備えているので、１画素あたりの色表示能力を大きくすると、表示用メモリのサイズが大きくなり過ぎてしまう。例えば、１つの画素における赤、緑及び青色に対してそれぞれ８ビットを割り当てたとすれば、１画素につき２４ビットが必要となるので、全体としては、
　　　２４ビット×２０００画素×２０００画素
　　＝９６００００００ビット
　　≒１１．４メガバイト
の大きさとなってしまい、これでは、その画像の加工時、多大な時間がかかり、あるいはハードディスク装置を使用してもわずかな枚数の画像しか蓄積（セーブ）できず、いずれにせよ実用性に乏しくなってしまう。」（１頁右下欄９行〜２頁左上欄１３行）
　
　(K3)「そこで、１画素あたりのビット数は８ビットにしておくが、カラー・ルック・アップ・テーブルを使用することにより色表示能力を拡大する方法が考えられている。
　第５図はその一例を示し、（１）は表示用のメモリで、このメモリ（１）のうち、カラー受像管（図示せず）の水平走査及び垂直走査に対応したアドレスからクロックＣＫに同期して画像の表示データＤＡＴＡが取り出される。この場合、例えば第６図に示すように、１つの画素（９）に対するデータＤＡＴＡの大きさは８ビットであるが、その８ビットは、
　　ビットｂ７，ｂ６　・・・赤色の表示用
　　ビットｂ５〜ｂ２　・・・緑色の表示用
　　ビットｂ１，ｂ０　・・・青色の表示用
のように割り当てられている。つまり、データＤＡＴＡは、そのうちのビット「ｂ７，ｂ６」、「ｂ５〜ｂ２」、「ｂ１，ｂ０」が対応する画素の赤色、緑色、青色の各濃度をそれぞれ示すものである。
　また、（２１）〜（２３）はカラー・ルック・アンプ・テーブル用のマッピング回路、この例においてはメモリで、このメモリ（２１）、（２３）はそれぞれ４アドレスを有し、メモリ（２２）は１６アドレスを有するとともに、すべてのメモリ（２１）〜（２３）は１アドレスにつき８ビットの容量とされ、各アドレスには表示したい色に対応したデータがストアされている。
　さらに、（３１）〜（３３）は８ビットのラッチ、（４１）〜（４３）は８ビットのＤ／Ａコンバータである。
　そして、メモリ（１）からある画素のデータＤＡＴＡが取り出されると、その赤色用のビットｂ７，ｂ６がメモリ（２１）にそのアドレス信号として供給されて該当するアドレス（ビットｂ７，ｂ６の示す値のアドレス）から８ビットのデータＤＡＴＲが取り出され、このデータＤＡＴＲがクロックＣＫによりラッチ（３１）にラッチされてからＤ／Ａコンバータ（４１）に供給されてアナログの赤色信号Ｒとされる。
　同様に、データＤＡＴＡの緑色用のビットｂ５〜ｂ２及び青色用のビットｂ１，ｂ０がメモリ（２２），（２３）にそれらのアドレス信号として供給されて該当するアドレスからそれぞれ８ビットのデータＤＡＴＧ、ＤＡＴＢが取り出され、これらデータＤＡＴＧ、ＤＡＴＢがラッチ（２３），（３３）を通じてＤ／Ａコンバータ（４２），（４３）に供給されてアナログの緑色信号Ｇ及び青色信号Ｂとされる。
　そして、これら信号Ｒ，Ｇ，Ｂがカラー受像管に供給され、したがって、メモリ（１）のデータＤＡＴＡに対応したカラー画像が表示される。
　そして、この場合、メモリ（２１）〜（２３）のアドレス信号となるデータＤＡＴＡは２８＝２５６通りの値をとることができ、メモリ（２１）〜（２３）の出力データＤＡＴＲ〜ＤＡＴＢは全部で２４ビットあって２２４＝１６７７７２１６種類の値をとることができるので、１６７７７２１６色のうちの２５６色を同時に表示することができる。
　このように、カラー・ルック・アップ・テーブルを使用すれば、表示用メモリ（１）の容量が小さくても多くの色相及び階調（濃度）を表現でき、カラフルな画像を表示できる。」（１頁左上欄１４行〜２頁右下欄１３行）
　
　〈解決しようする課題〉
　(K4)「〔発明が解決しようとする問題点〕
　ところが、上述の回路においては、１６７７７２１６色のうちの２５６色を選択し、この２５６色を同時に表示しているにすぎず、自然画に対しては色の種類が不足し、色つやに自然さを欠くことがある。例えば、光沢のある果物を表示すると、赤色及び青色は２ビットしか割り当てがなく、４階調なので、量子化が目立ち、色の変化が縞状になってしまう。
　さらに、赤、縁、青の各色について考えると、平均して８ビット／３≒２．７ビットしか割り当てられていないので、階調が不足するとともに、解像度も低下し、画質の劣化が大きい。
　この発明は、このような問題点を解決しようとするものである。」（２頁右下欄１４行〜３頁左上欄８行）
　
　〈実施例〉
　(K5)「〔実施例〕
　第１図において、表示用メモリ（１）は上述のものと等しい容量とされ、カラー受像管の水平走査及び垂直走査に対応したアドレスからクロックＣＫに同期して画像の表示データＤＡＴＡが取り出される。
　この場合、１つの画素（９）に対するデータＤＡＴＡは上述と同様８ビットであるが、このデータＤＡＴＡは、例えば第２図に示すフローチャートにしたがって色圧縮されたデータであり、例えば第３図に示すフォーマットを有する。」（３頁右上欄９行〜同頁右上欄１８行）
　
　(K6)「すなわち、第２図において、Ｒｉ，Ｇｉ，Ｂｉは色圧縮を行う前の原データ、例えばビデオカメラなどにより取り込まれたデータであり、かつ、１つの画面におけるｉ番目の画素（９）の赤色、緑色及び青色のレベルを８ビットで示しているデジタルデータである。
　そして、ステップ（１０１）において、初期値として
　Ｒ０＝１２８，Ｇ０＝１２８，Ｂ０＝１２８
　ｉ＝１
が設定され、次にステップ（１０２）において、ｉ番目の画素のデータＲｉ〜Ｂｉと１つ前の画素のデータＲｉ−１〜Ｂｉ−１との差の絶対値ΔＲ〜ΔＢ
　ΔＲ＝｜Ｒｉ−Ｒｉ−１｜
　ΔＧ＝｜Ｇｉ−Ｇｉ−１｜
　ΔＢ＝｜Ｂｉ−Ｂｉ−１｜
が算出され、続いてステップ（１０３）において値ΔＲ〜ΔＢのうち最大の値のものが判別される。
　そして、値ΔＲが最大（ΔＲ＞ΔＧ，ΔＲ＞ΔＢ）のときには、ステップ（１０４）において、データＲｉが８ビットのデータ（原データ）から６ビットのデータ（色圧縮データ）Ｒｃに変換されるとともに、第３図に示すように、データＲｃの上位には赤色のデータであることを示す識別コードとして“１０”が付加され、データＲｃは全体としては８ビットとされる。したがって、データＲｃは、上位２ビットｂ７，ｂ６が赤色のデータであることを示す識別コード“１０”とされ、残る６ビットｂ５〜ｂ０がｉ番目の画素（９）の赤色の濃度の情報を有する。
　また、このとき、データＲｃの６ビットｂ５〜ｂ０は、例えば第４図に示すように、原データの度数分布のうちの有効区間に６ビットを割り当てたものである。したがって、データＲｃは、その６ビットｂ５〜ｂ０しか濃度情報を持たなくても充分な量子化レベルを有することになる。
　さらに、ステップ（１０３）において値ΔＧが最大（ΔＧ＞ΔＲ，ΔＧ＞ΔＢ）のときには、ステップ（１０５）において、データＧｉがステップ（１０４）におけるデータＲｉと同様に処理されてデータＧｃとされる。ただし、データＧｃにおいては、第３図に示すように、最上位ビットｂ７だけが識別コード“０”とされ、残る７ビットｂ６〜ｂ０が濃度情報とされる。
　また、ステップ（１０３）において値ΔＢが最大（ΔＢ＞ΔＲ，ΔＢ＞ΔＧ）のときには、ステップ（１０６）において、データＢｉがステップ（１０４）におけるデータＲｉと同様に処理されてデータＢｃとされる。ただし、データＢｃにおいては、上位２ビットｂ７，ｂ６が識別コード“１１”とされ、残る６ビットｂ５〜ｂ０が濃度情報とされる。
　そして、ステップ（１０４），（１０５）あるいは（１０６）のいずれかで形成されたデータＲｃ，ＧｃあるいはＢｃが、ステップ（１０７）において記憶手段、例えばメモリ（１）のｉ番目のアドレスにｉ番目の画素（９）のデータＤＡＴＡとしてストアされる。
　そして、ステップ（１０８）において値ｉが「１」だけインクリメントされて次の画素（９）が処理の対象とされ、ステップ（１０９）においてすべての画素（９）について以上の処理が行われたかどうかが判別され、処理されていない画素（９）があれば、ステップ（１０２）以降の処理が同様に行われる。
　したがって、メモリ（１）には、画素（９）ごとに、その前の画素（９）とのレベル変化が最も大きい色についてその濃度の情報がデータＤＡＴＡとしてストアされていることになる。」（３頁右上欄１９行〜４頁右上欄４行）
　
　(K7)「さらに、カラー・ルック・アップ・テーブル用のメモリ（２１）〜（２３）は２５６アドレスを有するとともに、１アドレスにつき９ビットの容量とされる。そして、メモリ（２１）においては、アドレスＡ７〜Ａ０の上位２ビットＡ７，Ａ６が赤色の識別コードの値“１０”になったとき、データＤ８〜Ｄ０の最上位ビットＤ８が“１”となるように、かつ、下位アドレスＡ５〜Ａ０に表示したい色のデータが下位ビットＤ７〜Ｄ０として出力されるように、所定のデータがストアされている。つまり、メモリ（２１）においては、８０Ｈ〜ＢＦＨ番地（Ｈは１６進を示す）に、Ｄ８＝“１”，Ｄ７〜Ｄ０＝「表示したい色のデータ」がストアされている。
　また、メモリ（２２）においては、アドレスＡ７〜Ａ０の最上位ビットＡ７が緑色の識別コードの値“０”になったとき、データＤ８〜Ｄ０の最上位ビットＤ８が“１”となるように、かつ、下位アドレスＡ６〜Ａ０に表示したい色のデータが下位ビットＤ７〜Ｄ０として出力されるように、所定のデータがストアされている。つまり、メモリ（２２）においては、０〜７ＦＨ番地に、Ｄ８＝“１”，Ｄ７〜Ｄ０＝「表示したい色のデータ」がストアされている。さらに、メモリ（２３）においては、アドレスＡ７〜Ａ０の上位２ビットＡ７，Ａ６が青色の識別コードの値“１１”になったとき、データＤ８〜Ｄ０の最上位ビットＤ８が“ｌ”となるように、かつ、下位アドレスＡ５〜Ａ０に表示したい色のデータが下位ビットＤ７〜Ｄ０として出力されるように、所定のデータがストアされている。つまり、メモリ（２２）においては、Ｃ０Ｈ〜ＦＦＨ番地に、Ｄ８＝“１”，Ｄ７〜Ｄ０＝「表示したい色のデータ」がストアされている。
　また、ラッチ（３１）〜（３３）には、メモリ（２１）〜（２３）の最上位ビットＤ８〜Ｄ８がラッチイネーブル信号として供給される。」（４頁右上欄５行〜同頁左下欄１９行）
　
　(K8)「このような構成によれば、メモリ（１）からデータＤＡＴＡが取り出されると、このデータＤＡＴＡはメモリ（２１）〜（２３）に供給されて何らかのデータＤＡＴＲ〜ＤＡＴＢに変換され、このデータＤＡＴＲ〜ＤＡＴＡＢがラッチ（３１）〜（３３）に供給される。
　そして、この場合、メモリ（１）からのデータＤＡＴＡが、例えば赤色のデータＲｃであれば、その上位２ビットｂ７，ｂ６が“１０”なので、メモリ（２１）の出力データＤＡＴＲの最上位ビットＤ８だけが“１”となり、このビットＤ８によりデータＤＡＴＲの下位８ビットＤ７〜Ｄ０がラッチ（３１）にラッチされ、したがって、Ｄ／Ａコンバータ（４１）からは赤色信号Ｒが取り出される。
　なお、このとき、データＤＡＴＡはメモリ（２２），（２３）にも供給されているので、メモリ（２２），（２３）からデータＤＡＴＧ，ＤＡＴＢも出力されているが、データＤＡＴＡの上位ビットｂ７，ｂ６は“１０”なので、メモリ（２２），（２３）の出力データＤＡＴＡＧ，ＤＡＴＢの最上位ビットＤ８，Ｄ８が“１”になることはなく、したがって、データＤＡＴＧ，ＤＡＴＢがラッチ（３２），（３３）にラッチされることはなく、それ以前にラッチされたときのデータＤＡＴＧ、ＤＡＴＡＢが保持されたままとなる。
　そして、ラッチ（３１）におけるこの状態は、次に赤色のデータＲｃがメモリ（１）から取り出されるまで、すなわち、赤色の濃度変化が他の色の濃度変化よりも大きくなるまで保持される。
　また、メモリ（１）からのデータＤＡＴＡが、緑色のデータＧｃあるいは青色のデータＢｃであれば、その上位ビットｂ７あるいはｂ７，ｂ６にしたがってデータＤＡＴＧあるいはＤＡＴＢの最上位ビットＤ８が“１”になるので、データＤＡＴＧあるいはＤＡＴＢの下位８ビットＤ７〜Ｄ０がラッチ（３２）あるいは（３３）にラッチされ、Ｄ／Ａコンバータ（４２）あるいは（４３）から緑色信号Ｇあるいは青色信号Ｂが取り出される。
　こうして、３原色信号Ｒ〜Ｂを得ることができるが、この場合、この発明によれば、赤色及び青色については６ビット、緑色については７ビットを割り当てているので、１９ビットで１つの色を表現することになり、したがって、２１９＝５２４２８８色を同時に発色できるので、自然画であっても充分な階調で表示できるとともに、自然でつやのある色を映出できる。」（４頁左下欄２０行〜５頁右上欄３行）
　
　(K9)「さらに、上述においては、ステップ（１０７）においてデータＤＡＴＡ（Ｒｃ，ＧｃあるいはＢｃ）を、メモリ（１）にストアするとしたが、実際には、ハードディスクや他のメモリにストアし、必要な処理の終了後、メモリ（１）に転送すればよい。」（５頁左下欄３行〜同頁左下欄７行）
　
［２］本願発明と引用発明との対比（対応関係）  
　
　（１）刊行物１に記載された発明（引用発明）
　
　刊行物１には、前掲した記載(K1)〜(K9)があり、刊行物１に記載された発明（以下、「引用発明」という。）として、以下の目的、構成のものを認定する。
　
　《目的》
　コンピュータ・グラフィックスにおいては、２０００画素×２０００画素程度の表示能力を備えており、例えば、１つの画素における赤、緑及び青色に対してそれぞれ８ビツトを割り当てたとすれば、１画素につき２４ビツトが必要となり、全体としては、２４ビット×２０００画素×２０００画素＝９６００００００ビット≒１１．４メガバイトの大きさとなってしまい、これでは、その画像の加工時、多大な時間がかかり、あるいはハードディスク装置を使用してもわずかな枚数の画像しか蓄積（セーブ）できず、実用性に乏しくなってしまう。｛(K2)｝
　このような問題をを解消するため、従来技術として、
　　ビットｂ７，ｂ６　・・・赤色の表示用
　　ビットｂ５〜ｂ２　・・・緑色の表示用
　　ビットｂ１，ｂ０　・・・青色の表示用
　のように割り当て、カラー・ルック・アップ・テーブルを使用して、表示用メモりの容量が小さくても１６７７７２１６色のうちの２５６色を同時に表示することができ、多くの色相及び階調（濃度）を表現できる技術｛(K3)（図５）｝もあるが、この従来技術は、赤、縁、青の各色について考えると、平均して８ビット／３≒２．７ビツトしか割り当てられていないので、階調が不足するとともに、解像度も低下し、画質の劣化が大きい。
　このような問題点を解決しようとすること。
　
　《構成》　
　前掲(K5)〜(K8)に「実施例」として記載されたものであって、
　・表示用メモリ（１）、
　・カラー・ルック・アップ・テーブル用のメモリ（２１）〜（２３）（以下、「ＣＬＵＴ用メモリ」ともいう。）、
　・ラッチ（３１）〜（３３）、及び、
　・『表示用メモリ（１）にアクセスするためのアドレス信号を生成するアドレス生成部』であって、
　　『生成されるアドレス信号は、クロックＣＫ毎にこれに対応して歩進（１づつインクリメント）するような関係になっているもので、かつ初期値に戻ってこれを繰り返すようになっているもの』
　を有するものを引用発明とする。
　
　《上記『アドレス生成部』を有するとし得る理由》
　前掲(K5)に「第１図において、表示用メモリ（１）は上述のものと等しい容量とされ、カラー受像管の水平走査及び垂直走査に対応したアドレスからクロックＣＫに同期して画像の表示データＤＡＴＡが取り出される。」と記載されており、メモリ（１）からデータを取り出す（読み出す）のに必要な、メモリ（１）をアドレッシングするアドレス信号を生成することは必須かつ技術常識であるから、『メモリ（１）にアクセスするためのアドレス信号を生成するアドレス生成部』の存在は明らかである。
　さらに、アドレス信号の生成の仕方の具体については記載はないものの、前掲(K5)、前掲(K6)〜(K8)、及び、画像（表示）用メモリは通常画面の水平・垂直走査に応じて読み出す画素の位置を１づつ走査するように画素順に読み出して表示することは技術常識であることからすれば、表示用メモリ（１）からの表示データＤＡＴＡを取り出す（読み出す）画素の位置は、カラー受像管の水平走査及び垂直走査に対応して、クロックＣＫ毎に１つづつ水平および垂直方向への走査を繰り返す（クロックＣＫ毎に１つづつ水平方向へ移動し、これが終われば垂直方向へ１つずれた位置で再度水平方向へ移動し、これらを画面毎に繰り返す）ことは明らかであり、かつ、表示データＤＡＴＡがクロックＣＫに同期して取り出されるのであるから、
　『生成されるアドレス信号は、』結果的に、『クロックＣＫ毎にこれに対応して歩進（１づつインクリメント）するような関係になっているもので、かつ初期値に戻ってこれを繰り返すようになっているもの』である必要があることも明らかである。
　
　（２）対比
　本願発明と引用発明とを対比すると、以下の対応が認められる。  
 　 
　（ａ）「色圧縮された画像データを格納するディジタル画像信号用のメモリ装置において、」、「ディジタル画像信号用のメモリ装置。」について
　本願発明は、装置全体を「ディジタル画像信号用のメモリ装置」としているところ、後記するように、引用発明も「色圧縮された画像データを格納するメモリ部」、「アドレス生成部」「色復元部」を有していると認められ、全体を「ディジタル画像信号用のメモリ装置」と称し得るものである。
　したがって、引用発明も「色圧縮された画像データを格納するディジタル画像信号用のメモリ装置において、」「ディジタル画像信号用のメモリ装置。」といい得るものであり、この点、本願発明と相違はない。
　
　（ｂ）「上記色圧縮された画像データは、三原色の成分を表現する圧縮画像データであり、
　上記色圧縮された画像データを格納するメモリ部」について
　前掲(K5)(K6)によれば、引用発明の表示用メモリ（１）には、第２図に示すフローチャートにしたがって画素当たり２４ビットの３原色データ（各色８ビットのＲｉ，Ｇｉ，Ｂｉ）を色圧縮して得た画素当たり８ビットの色圧縮されたデータＤＡＴＡ（ＲｃまたはＧｃまたはＢｃ）
｛３原色データ（画素当たり各色８ビット，計２４ビット）のうちから、隣接する画素との階調変化が最大である色についてのデータを抽出し、該データを赤，青については６ビットに、緑については７ビットに圧縮した圧縮データにその色を示す識別コード（赤，青については２ビット、緑については１ビット）を付加して得た画素当たり８ビットの色圧縮されたデータＤＡＴＡ｝
　が格納されるところ、この色圧縮されたデータＤＡＴＡは、三原色の成分を表現する圧縮画像データといえるから、
　引用発明の表示用メモリ（１）は、本願発明で特定する上記「上記色圧縮された画像データは、三原色の成分を表現する圧縮画像データであり、
　上記色圧縮された画像データを格納するメモリ部」といい得るものである。
　
　（ｃ）「クロックパルスをカウントすると共に、リセット信号によってリセットされ、上記メモリ部にアクセスするためのアドレス信号を生成するアドレス生成部」
　この構成は、本願発明の上記「課題・目的２」に対応する構成である。
　引用発明として、
　『表示用メモリ（１）にアクセスするためのアドレス信号を生成するアドレス生成部』であって、『生成されるアドレス信号は、クロックＣＫ毎にこれに対応して歩進（１づつインクリメント）するような関係になっているもので、かつ初期値に戻ってこれを繰り返すようになっているもの』
　を有するものを認め得ることは前記のとおりであるが、
　アドレスの具体的な生成の仕方の具体は不明であって、アドレス信号が「クロックパルスをカウントすると共に、リセット信号によってリセットされ」て生成することまでは、刊行物１からは読み取ることはできない。
　したがって、本願発明と引用発明は、「上記メモリ部にアクセスするためのアドレス信号を生成するアドレス生成部」を有しているといえる点では相違はないものの、
　「アドレス生成部」におけるアドレス信号が、
　本願発明では、「クロックパルスをカウントすると共に、リセット信号によってリセットされ」て生成する、とするのに対して、
　引用発明では、そのようにして生成する、とはしていない点で相違が認められる。
　
　（ｄ）「上記クロックパルスが供給され、・・・色復元部」について
　
　（ｄ１）「上記色圧縮された画像データを元の画像データに復元する色復元部」について
　前掲(K7)(K8)によれば、引用発明は、表示用メモリ（１）から取り出されたデータＤＡＴＡが、ＣＬＵＴ（カラー・ルック・アップ・テーブル）用メモリ（２１）〜（２３）のアドレスに入力され、
　ＤＡＴＡの上位の１又は２ビットの識別コードにより赤色か緑色か青色のデータであるかが識別され、ラッチ（３１）〜（３３）のうちの識別された色に対応するラッチだけをラッチイネーブルするようにＤ８（ＤＡＴＲ，ＤＡＴＧ，ＤＡＴＢの最上位ビット）を出力する一方、
　ＤＡＴＡの下位ビットに対応してストアされている「表示したい色のデータ」Ｄ７〜Ｄ０（ＤＡＴＲ，ＤＡＴＧ，ＤＡＴＢ）の８ビットをラッチに出力する。
　ラッチ（３１）〜（３３）では、ラッチイネーブルされたラッチだけがＤ７〜Ｄ０に更新され、ラッチイネーブルされないラッチには、以前にラッチされた時のデータが保持されたままの状態で更新されない。
　このように、ＣＬＵＴ（カラー・ルック・アップ・テーブル）用メモリ（２１）〜（２３）と、ラッチ（３１）〜（３３）によって、画素当たり８ビットに色圧縮されたデータＤＡＴＡが、原データと同じ画素当たり各色８ビット計２４ビットの３原色のデータ（ＤＡＴＲ，ＤＡＴＧ，ＤＡＴＢ）に戻るように変換しているのであるから、
　引用発明の、ＣＬＵＴ（カラー・ルック・アップ・テーブル）用メモリ（２１）〜（２３）とラッチ（３１）〜（３３）を合わせたものは、「上記色圧縮された画像データを元の画像データに復元する色復元部」といい得るものであり、これを有するとする点において本願発明と相違はない。
　また、このことは、本願発明の「色復元部」は、明細書の記載に照らせば、その段落0033〜0038，図５におけるデコーダ６、すなわち、カラールックアップテーブル用メモリ２Ｒ，２Ｇ，２Ｂとラッチ３Ｒ，３Ｇ，３Ｂからなるもの、をいうものであるところ、
　これらが、その処理・機能において、引用発明の前掲(K7)(K8)記載の上記ＣＬＵＴ（カラー・ルック・アップ・テーブル）用メモリ（２１）〜（２３）とラッチ（３１）〜（３３）と同様であることからも明らかである。
　
 （ｄ２）「上記クロックパルスが供給され、上記クロックパルスに同期して動作することによって、」について
　引用発明のラッチ（３１）〜（３３）は、これらラッチに供給されているクロックＣＫ（第１図）によってラッチ動作が行われると認められる。
　このことは、第１図に、ラッチ（３１）〜（３３）にクロックＣＫが供給されていることが示され、
　また、従来技術（第５図）におけるラッチ（３１）が、メモリ（１）からＤＡＴＡが取り出されＣＬＵＴ（２１）からＤＡＴＲが取り出されているときに、これをクロックＣＫによりラッチするとされている｛前掲(K3)「そして、メモリ（１）からある画素のデータＤＡＴＡが取り出されると、その赤色用のビットｂ７，ｂ６がメモリ（２１）にそのアドレス信号として供給されて該当するアドレス（ビットｂ７，ｂ６の示す値のアドレス）から８ビツトのデータＤＡＴＲが取り出され、このデータＤＡＴＲがクロックＣＫによりラッチ（３１）にラッチされてからＤ／Ａコンバータ（４１）に供給されてアナログの赤色信号Ｒとされる。」｝ことから明らかである。　
　そうすると、引用発明も有すると認められる、上記ラッチ（３１）〜（３３）を含む「上記色圧縮された画像データを元の画像データに復元する色復元部」（上記（ｄ１））も、「クロックパルスが供給され、上記クロックパルスに同期して動作することによって」復元がなされるといい得るものである。
　もっとも、本願発明では、「『上記』クロックパルス」と『上記』をつけたクロックパルスであるとしているから、「クロックパルスをカウントすると共に、リセット信号によってリセットされ、上記メモリ部にアクセスするためのアドレス信号を生成するアドレス生成部」のクロックパルス、すなわち、「アドレス生成部」におけるアドレス信号生成のためにカウントする「クロックパルス」であるとしているところ、引用発明の「クロックパルス」は、そのようなクロックパルスとまではいえないから、この点相違が認められる。
　
　（ｅ）「上記メモリ部、上記アドレス生成部および上記色復元部は、共通の半導体基板上に構成されていること」について
　この構成は、本願発明の上記「課題・目的１」に対応する構成であるところ、引用発明は、そのようにはしておらず、この点はそのまま、本願発明との相違点となる。
　
［３］一致点・相違点  
 　 
　以上の対比結果によれば、本願発明と引用発明との一致点および相違点は、下記のとおりである。 
 　 
　　　　　　記（一致点）  
　色圧縮された画像データを格納するディジタル画像信号用のメモリ装置において、
　上記色圧縮された画像データは、三原色の成分を表現する圧縮画像データであり、
　上記色圧縮された画像データを格納するメモリ部と、
　上記メモリ部にアクセスするためのアドレス信号を生成するアドレス生成部と、
　クロックパルスが供給され、上記クロックパルスに同期して動作することによって、上記色圧縮された画像データを元の画像データに復元する色復元部とを有する
　ディジタル画像信号用のメモリ装置。
　
　　　　　　記（相違点）
　［相違点１］
　本願発明では、
　上記「アドレス生成部」におけるアドレス信号を、
　「クロックパルスをカウントすると共に、リセット信号によってリセットされ」て生成する、とし、
　かつ、
　上記色復元部に供給される「クロックパルス」が、「アドレス生成部」におけるアドレス信号生成のためにカウントする「クロックパルス」であるとするのに対して、
　引用発明では、
　上記「アドレス生成部」におけるアドレス信号を、
　「クロックパルスをカウントすると共に、リセット信号によってリセットされ」て生成する、とはしておらず、
　上記色復元部に供給される「クロックパルス」が、「アドレス生成部」におけるアドレス信号生成のためにカウントする「クロックパルス」であるともしていない点。
　
　［相違点２］
　上記メモリ部、アドレス生成部および色復元部が、
　本願発明では、「共通の半導体基板上に構成されている」とするのに対し、　引用発明では、そのようにするとはしていない点。
　
［４］相違点の判断等 
  
　（１）相違点１について
　
　（１.１）［相違点１の克服］
　（ａ）引用発明の、『表示用メモリ（１）にアクセスするためのアドレス信号を生成するアドレス生成部』におけるアドレス信号を、
　「クロックＣＫ（クロックパルス）をカウントすると共に、リセット信号によってリセットされ」て生成するとし、
　（ｂ）ラッチ（３１）〜（３３）に供給するクロックＣＫ（「クロックパルス」）を、そのクロックＣＫ（アドレス生成部におけるアドレス信号生成のためにカウントするクロックパルス）とすることで、上記相違点１は克服される。
　
　（１.２）［相違点１の克服］の容易想到性
　
　《常套技術・周知技術》
　一般に、画像メモリから画像データを取り出すのに、読み出す画素の位置を１づつ走査するように取り出すこと、および、そのために、アドレス信号を、「クロックパルスをカウントすると共に、リセット信号によってリセットされ」て生成することは、常套技術であり周知技術である。｛例えば、下記周知例１〜３等参照｝
　すなわち、本願発明の上記「課題・目的２」のため、アドレス信号を、「クロックパルスをカウントすると共に、リセット信号によってリセットされ」て生成することは、常套技術であり周知技術である。
　
　《容易想到性の判断》
　　引用発明の「アドレス生成部」で『生成されるアドレス信号は、クロックＣＫ毎にこれに対応して歩進（１づつインクリメント）するような関係になっているもので、かつ初期値に戻ってこれを繰り返すようになっているもの』である必要があるところ、
　上記《常套技術・周知技術》に鑑みれば、そのようになっている引用発明の「アドレス信号」を、「クロックＣＫ（クロックパルス）をカウントすると共に、リセット信号によってリセットされ」て生成する、とすることは、当業者が容易に想到し得ることである。
　すなわち、上記［相違点１の克服］の（ａ）は当業者が容易になし得ることである。
　
　そして、このとき｛上記［相違点１の克服］の（ａ）をしたとき、すなわち、引用発明の「アドレス信号」を、「クロックＣＫ（クロックパルス）をカウントすると共に、リセット信号によってリセットされ」て生成するとしたとき｝のラッチ（３１）〜（３３）に供給するクロックＣＫについて検討するに、
　このときにおいても、引用発明は、表示用メモリ（１）から色圧縮画像データが表示データとしてリアルタイムで読み出される場合、その読出しタイミングに合わせて、すなわち当該読出しタイミングを決める上記クロックＣＫに同期して、ＣＬＵＴ（２１）から変換されたＤＡＴＲ〜ＤＡＴＢをラッチする動作をする必要がある（１クロックＣＫ毎に、メモリ（１）から表示データＤＡＴＡが取り出されＣＬＵＴ（２１）〜（２３）からＤＡＴＲ〜ＤＡＴＢが取り出され、これに対応して、１クロック毎に、そのＤＡＴＲ〜ＤＡＴＢをラッチする必要がある）ことに変わりはなく、
　したがって、アドレス生成部におけるアドレス信号生成のためにこのクロックＣＫをカウントする場合にも、同じく、ラッチ（３１）〜（３３）は、その「クロックＣＫ」によってラッチされるものとすることは、技術合理性からみてごく自然で普通のことに過ぎない。
　すなわち、上記［相違点１の克服］の（ｂ）も当業者が普通になし得ることである。
　
　以上、上記［相違点１の克服］は、当業者が容易に想到し得ることである。
　
　（２）相違点２について
　
　（２.１）［相違点２の克服］
　引用発明の「メモリ部」（「表示用メモリ（１）」）、「アドレス生成部」、「色復元部」｛ＣＬＵＴ（カラー・ルック・アップ・テーブル）用メモリ（２１）〜（２３）及びラッチ（３１）〜（３３）｝を、共通の半導体基板上に構成することで、上記相違点２は克服される。
　
　（２.２）［相違点２の克服］の容易想到性
　
　《周知技術》
　一般に、共通の半導体基板上に種々の複数の機能回路を構成することは、古くは１チップマイクロコンピュータ等にも見られるようにごく普通に知られたことにすぎないし、
　画像データの処理に用いる画像用メモリとその処理回路を、共通の半導体基板上に構成する（１チップ化する）ことも、比較的大容量の画像用メモリの場合｛例えば、下記周知例７〜９参照。｝を含めて、種々の画像データの処理において広く行われている周知の技術である。｛例えば、下記周知例５〜９参照。｝
　また、画像用メモリと共に共通の半導体基板上に構成する処理回路として、当該画像メモリのデータがアドレスとして供給されて画素値を出力する記憶回路（例えば、ルックアップテーブル）を含むものも周知である。これには、例えば、下記周知例７，８が参照される。｛周知例７の「カラールックアップテーブル１４」。周知例８の段落【0065】【0074】参照。｝
　さらに、大容量（１フレームや１フィールド）の画像用メモリを有するメモリ装置において、アドレス回路やこれを含むデータの入出力を含めて共通の半導体基板上に構成する（１チップ化する）ことも周知である。｛例えば、下記周知例４，７〜９参照。｝
　そして、これらのように、共通の半導体基板上に種々の複数の機能回路を構成すれば、実装規模が縮小し小型化が図れることも周知かつ明らかである。｛例えば、周知例７（段落【0017】【0071】），周知例８（段落【0069】），周知例９（段落【0042】）。｝
　すなわち、一般に、「小型化」という本願発明の「課題・目的１」のため、共通の半導体基板上に種々の複数の機能回路を構成することは周知技術である。
　
　《容易想到性の判断》
　引用発明における、
　「メモリ部」（「表示用メモリ（１）」）、
　「色復元部」｛ＣＬＵＴ（カラー・ルック・アップ・テーブル）用メモリ（２１）〜（２３）及びラッチ（３１）〜（３３）｝
　は、画像データの処理に用いる画像用メモリとその処理回路であり、
　「アドレス生成部」はその「メモリ部」のアドレスを生成するものであるところ、
　上記《周知技術》に鑑みれば、小型化等のために、引用発明の、これら「メモリ部」「色復元部」「アドレス生成部」を共通の半導体基板上に構成することは、当業者が容易に想起することといえ、これら３つの部分を共通の半導体基板上に構成することを妨げる特段の事情があるとも認められず、
　上記［相違点２の克服］は、当業者が容易に想到し得ることである。
　
　そして、上記［相違点１の克服］をした場合においても、これらの点（容易に想起し得る点、妨げる特段の事情はない点）に変わりはなく、上記［相違点２の克服］は、当業者が容易に想到し得ることである。
　
　（３）まとめ（相違点の判断等）
　以上のように、引用発明から、上記「相違点１の克服」及び「相違点２の克服」をして本願発明に至ることは、常套技術・周知技術を参照して当業者が容易に想到し得ることである。
　
　　　　　　　　　　記（周知例一覧）
　周知例１：特開昭６１−２６７０８７号公報
　｛例えば、「第５図は、・・・発生し続ける。」（５頁左下欄５行〜６頁　　　左上欄最下行），第５図等｝
　周知例２：特開平５−４１８３４号公報｛段落【0029】，【0030】，
　　　図４等｝
　周知例３：特開平７−１５４７５０号公報（段落【0026】，【0027】，
　　　【0037】，【0038】，図４等）
　
　周知例４：石黒辰雄，高橋恒介著、「ディジタル画像メモリ」初版１刷、（1994年）平成６年１０月２０日、（株）昭晃堂発行、ｐ．79-80、
　｛「・・・メモリの集積度の向上にともない、ビデオ信号の１フィールドデータ、あるいは、グラフィックスデータ１フレームが１チップに十分入るようになり、データ入出力制御を含めて１チップ化されるようになった。図2.49に画像専用フィールドメモリの機能構成を示す。メモリセルアレイは画像の画素数に合わせて構成されており、行アドレスは内部カウンタで発生させる。・・・」（抜粋）と記載され、同図には、専用フィールドメモリとして、メモリセルアレイやアドレスカウンタを含むものが記載されている。｝
　
　周知例５：特開昭６２−２００５９１号公報（査定で引用、第１頁［発明
　　の技術分野］の項）
　周知例６：特開平７−１２３４０７号公報（査定で引用、段落【0077】，
　　図９Ｂ）
　周知例７：特開平５−３４１７５３号公報（段落【0001】，【0008】，
　　【0009】，【0016】〜【0019】，【0024】〜【0026】，【0054】〜
　　【0068】，【0071】，図１，図２，図７〜９，図１６〜図１８等）
　周知例８：特開平６−２６６８３３号公報（段落【0004】，【0007】，
　　【0017】，【0025】，【0039】〜【0042】，【0065】，【0069】，
　　【0074】，図１，図３，図５等）
　周知例９：特開平７−１２３３２３号公報（段落【0008】〜【0016】，
　　【0031】，【0038】〜【0041】，図１，図６等）
　
［５］まとめ （当審の判断）
　以上によれば、本願発明は、引用発明および常套技術・周知技術に基づいて、当業者が容易に発明をすることができたものである。
  　
【第５】むすび 
　以上のとおりであるから、本願の請求項１に係る発明は、刊行物１に記載された発明および常套技術・周知技術に基づいて当業者が容易に発明をすることができたものであるから、特許法第２９条第２項の規定により特許を受けることができない。 
　それ故、本願の他の請求項について検討するまでもなく、本願は拒絶すべきものである。
　
　よって、結論のとおり審決する。